(57)【要約】【課題】プリンター等のデバイスをコンピューターから利用可能にするセットアップに要する時間を短縮する。【解決手段】デバイスを制御可能な状態にコンピューターを設定する設定プログラムであって、前記デバイスのセットアップの手順を順次案内する画像の画面への表示処理を前記コンピューターに実行させる表示制御機能と、前記コンピューターが前記デバイスを制御するために必要なソフトウェアのインストールを少なくとも含む設定処理を前記コンピューターに実行させる設定制御機能とを有し、前記設定制御機能は、前記表示制御機能による前記表示処理と並行して前記設定処理を前記コンピューターに実行させる設定プログラム。【選択図】図３
2015060383.tif 000002
【特許請求の範囲】
【請求項１】
デバイスを制御可能な状態にコンピューターを設定する設定プログラムであって、
前記デバイスのセットアップの手順を順次案内する画像の画面への表示処理を前記コンピューターに実行させる表示制御機能と、
前記コンピューターが前記デバイスを制御するために必要なソフトウェアのインストールを少なくとも含む設定処理を前記コンピューターに実行させる設定制御機能とを有し、
前記設定制御機能は、前記表示制御機能による前記表示処理と並行して前記設定処理を前記コンピューターに実行させることを特徴とする設定プログラム。
【請求項２】
前記表示処理は、少なくとも、前記デバイスとしてのプリンターの電源を入れることを案内する画像と、当該プリンターへインクカートリッジをセットすることを案内する画像とを表示させる処理を含むことを特徴とする請求項１に記載の設定プログラム。
【請求項３】
前記設定処理は、前記コンピューターが参加する無線ＬＡＮに前記デバイスを参加させるために必要な情報を前記デバイスに設定する無線ＬＡＮ設定処理を含むことを特徴とする請求項１または請求項２に記載の設定プログラム。
【請求項４】
前記デバイスは、電源が投入された場合に、前記コンピューターからの前記無線ＬＡＮ設定処理に応答して無線ＬＡＮ接続を確立するための接続設定可能状態に移行し、
前記表示処理は、前記デバイスの電源を入れることを案内する画像を表示させる処理を含み、
前記無線ＬＡＮ設定処理は、前記表示処理により、前記デバイスの電源を入れることを案内する画像が表示された後、前記接続設定可能状態となった前記デバイスと無線接続を確立することを特徴とする請求項３に記載の設定プログラム。
【請求項５】
前記設定制御機能は、前記無線ＬＡＮ設定処理の後、前記無線ＬＡＮを介して前記デバイスに試運転の実行を指示することを特徴とする請求項３または請求項４に記載の設定プログラム。
【請求項６】
前記設定プログラムが記録された記録媒体が前記コンピューターに挿入されて前記設定プログラムが起動することにより、前記表示処理と前記設定処理とが並行して実行されることを特徴とする請求項１〜請求項５のいずれかに記載の設定プログラム。
【請求項７】
デバイスを制御するためのデバイス制御装置であって、
前記デバイスのセットアップの手順を順次案内する画像の画面への表示処理を実行する表示制御部と、
前記デバイスを制御するために必要なソフトウェアのインストールを少なくとも含む設定処理を実行する設定制御部とを有し、
前記設定制御部は、前記表示制御部による前記表示処理と並行して前記設定処理を実行することを特徴とするデバイス制御装置。
【請求項８】
デバイスを制御可能な状態にコンピューターを設定する設定方法であって、
前記デバイスのセットアップの手順を順次案内する画像の画面への表示処理を前記コンピューターに実行させる表示制御工程と、
前記コンピューターが前記デバイスを制御するために必要なソフトウェアのインストールを少なくとも含む設定処理を前記コンピューターに実行させる設定制御工程とを有し、
前記設定制御工程では、前記表示制御工程による前記表示処理と並行して前記設定処理を前記コンピューターに実行させることを特徴とする設定方法。
【発明の詳細な説明】
【技術分野】
【０００１】
本発明は、デバイスを制御可能な状態にコンピューターを設定する設定プログラム、デバイス制御装置およびデバイスを制御可能な状態にコンピューターを設定する設定方法に関する。
【背景技術】
【０００２】
プリンター（デバイスの一種。）のユーザーは、プリンターとＰＣ（コンピューター）とを接続してコンピューターによってプリンターを制御可能な状態とする作業（プリンターのセットアップ）を行う。このようなセットアップには、ユーザーによるプリンターへの各種操作やコンピューターへのプリンタードライバーのインストール等の各処理が含まれる。セットアップは通常、セットアッププログラムと呼ばれるプログラムの指示に従ってこれら各処理が決められた順番で進行することにより、実現される。
なお、ＵＳＢを用いたプリンタードライバーのインストール手順の画面やＵＳＢを用いた無線ネットワークのインストール手順の画面をＰＣの画面に順次表示してプリンターのセットアップを実行するシステムが知られている（特許文献１参照）。
【先行技術文献】
【特許文献】
【０００３】
【特許文献１】特開２００６‐３３３３２１号公報
【発明の概要】
【発明が解決しようとする課題】
【０００４】
ユーザーの利便性や快適性を考慮すると、セットアップに要する時間は出来るだけ短縮することが望ましい。従来のセットアッププログラムに従ったセットアップにおいては、このような時間の短縮に関して工夫の余地が残されていた。また、前記文献も、このような時間の短縮に関して工夫を提示するものではなかった。
【０００５】
本発明は少なくとも上述の課題を解決するためになされたものであり、デバイスを制御可能な状態とするために必要な処理に要する時間を短縮することが可能な設定プログラム、デバイス制御装置および設定方法を提供する。
【課題を解決するための手段】
【０００６】
本発明の態様の一つは、デバイスを制御可能な状態にコンピューターを設定する設定プログラムであって、前記デバイスのセットアップの手順を順次案内する画像の画面への表示処理を前記コンピューターに実行させる表示制御機能と、前記コンピューターが前記デバイスを制御するために必要なソフトウェアのインストールを少なくとも含む設定処理を前記コンピューターに実行させる設定制御機能とを有し、前記設定制御機能は、前記表示制御機能による前記表示処理と並行して前記設定処理を前記コンピューターに実行させる。
【０００７】
当該構成によれば、デバイスのセットアップの手順を順次案内する画像の画面への表示処理と、コンピューターがデバイスを制御するために必要なソフトウェアのインストールを少なくとも含む設定処理とが並行して行われる。そのため、これら２つの処理が並行して行われていなかった（これら２つの処理が順番に行われていた）従来の構成と比較して、デバイスを制御可能な状態にコンピューターを設定し終える（デバイスのセットアップを終える）までに要する全体の時間を大幅に短縮することができる。
【０００８】
本発明の態様の一つは、前記表示処理は、少なくとも、前記デバイスとしてのプリンターの電源を入れることを案内する画像と、当該プリンターへインクカートリッジをセットすることを案内する画像とを表示させる処理を含む。
当該構成によれば、これら画像の表示に従ったユーザーによるプリンターの電源の投入やプリンターへのインクカートリッジのセットと並行して、前記設定処理（前記ソフトウェアのインストール等）が行われる。そのため、これら画像の表示に従った電源の投入やインクカートリッジのセットといった操作の後に前記インストール等が行われていた従来の構成と比較して、プリンターのセットアップに要する全体の時間を大幅に短縮することができる。
【０００９】
本発明の態様の一つは、前記設定処理は、前記コンピューターが参加する無線ＬＡＮに前記デバイスを参加させるために必要な情報を前記デバイスに設定する無線ＬＡＮ設定処理を含む。
当該構成によれば、前記表示処理と並行して、デバイスを無線ＬＡＮへ参加させるための無線ＬＡＮ設定処理まで自動的に実行される。そのため、当該無線ＬＡＮ設定処理を含んだデバイスのセットアップに要する時間の大幅な短縮とユーザーの手間の大幅な削減とが実現される。
前記デバイスは、電源が投入された場合に、前記コンピューターからの前記無線ＬＡＮ設定処理に応答して無線ＬＡＮ接続を確立するための接続設定可能状態に移行する。また、前記表示処理は、前記デバイスの電源を入れることを案内する画像を表示させる処理を含み、前記無線ＬＡＮ設定処理は、前記表示処理により、前記デバイスの電源を入れることを案内する画像が表示された後、前記接続設定可能状態となった前記デバイスと無線接続を確立する。
【００１０】
本発明の態様の一つは、前記設定制御機能は、前記無線ＬＡＮ設定処理の後、前記無線ＬＡＮを介して前記デバイスに試運転の実行を指示する。
当該構成によれば、前記表示処理の傍らで、前記ソフトウェアのインストール、前記無線ＬＡＮ設定処理および無線ＬＡＮを介した前記デバイスへの試運転の指示といった一連の処理が自動的に実行される。そのため、当該試運転を含んだデバイスのセットアップに要する時間の大幅な短縮とユーザーの手間の大幅な削減とが実現される。
【００１１】
本発明の態様の一つは、前記設定プログラムが記録された記録媒体が前記コンピューターに挿入されて前記設定プログラムが起動することにより、前記表示処理と前記設定処理とが並行して実行される。
つまり、前記設定プログラムが記録された記録媒体が前記コンピューターに挿入されたことをトリガーとして、前記表示処理と前記設定処理とが並行して実行されるため、デバイスのセットアップに要するユーザーの負担を極めて少ないものとすることができる。
【００１２】
本発明の技術的思想は、上述したような設定プログラム以外の物や方法によって実現されてもよい。例えば、設定プログラムを記録したコンピューター読取可能な記録媒体も発明として捉えることが可能である。また、上述した設定プログラムに従った各処理を実行するコンピューターに相当する装置（デバイス制御装置）や、このようなコンピューター（デバイス制御装置）が実行する各処理に相当する各工程を有する方法（設定方法）も、それぞれ発明として捉えることが可能である。また、上述したコンピューター（デバイス制御装置）およびデバイスを含むシステムを一つの発明として捉えてもよい。
【図面の簡単な説明】
【００１３】
【図１】本実施形態にかかるシステムが適用される場面を例示する図である。
【図２】コンピューターの構成を概略的に示す図である。
【図３】セットアップ処理を示すフローチャートである。
【図４】案内画像の一例を示す図である。
【図５】案内画像の他の例を示す図である。
【図６】案内画像のさらに他の例を示す図である。
【発明を実施するための形態】
【００１４】
以下、図面を参照しながら本発明の実施形態を説明する。
図１は、本実施形態にかかるシステム４０が適用される場面を例示している。システム４０は、少なくとも、コンピューター１０と、コンピューター１０によって制御されることとなるプリンター２０とを含む。コンピューター１０は、「デバイス制御装置」の一例であり、プリンター２０は「デバイス」の一例である。本実施形態では、プリンター２０を制御可能な状態にコンピューター１０を設定する。つまり、プリンター２０のセットアップが行われる。
【００１５】
図１においては、無線ＬＡＮ（Wireless Local Area Network）ルーター３０を含む一定領域に無線ＬＡＮが構築されている。コンピューター１０は、無線による通信機能を有しており、親機としてのルーター３０に対して子機の１つとしてふるまう。ルーター３０は、外部のネットワーク（インターネットＩＮ）に接続しているため、コンピューター１０は、ルーター３０を介して外部のネットワークに繋がることができる。ルーター３０は、無線通信のみに対応した機種であってもよいし、有線通信にも対応した機種であってもよい。プリンター２０も、無線による通信機能を有しており、子機の１つとなり得る（ただし、図１では、プリンター２０は未だ無線ＬＡＮに参加していない状態を例示している）。
【００１６】
図２は、コンピューター１０のハードウェア構成およびソフトウェア構成を概略的に示している。コンピューター１０は、制御部１１、ハードディスクドライブ（ＨＤＤ）１５、ディスクドライブ１６、通信部１７、ディスプレー１８、操作部１９等を有する。
制御部１１においては、ＣＰＵ１２が、種々のプログラムをＲＡＭ１３に展開してＯＳの下で当該プログラムに従った処理を行なう。本実施形態では、ＣＰＵ１２は、所定の記録媒体から読み出したセットアッププログラム１４に従った処理を行なうことにより、表示制御部１４ａや設定制御部１４ｂ等の各機能を実現する。これら各機能については後述する。セットアッププログラム１４は、デバイス（プリンター２０）を制御可能な状態にコンピューター１０を設定する設定プログラムの一例である。
【００１７】
ディスクドライブ１６には、ユーザーによって不図示の記録媒体（光ディスク）が挿入される。当該記録媒体はセットアップの対象となっているプリンター２０に同梱されたものであり、セットアッププログラム１４が記録されている。制御部１１は、ディスクドライブ１６を駆動させて当該記録媒体の読み込みを開始させることにより、当該記録媒体からセットアッププログラム１４を読み出すことができる。むろん、セットアッププログラム１４の読み出し元の記録媒体はＵＳＢメモリーやメモリーカード等であってもよく、これらＵＳＢメモリーやメモリーカード等がコンピューター１０の不図示のポートに挿入されるとしてもよい。
【００１８】
通信部１７は、上述の通信機能を担うものであり、制御部１１は、通信部１７を制御することにより無線ＬＡＮを介した外部との通信を実行する。また、通信部１７は、後述するようにアドホックモードによる無線の通信にも対応している。ディスプレー１８には、制御部１１による制御の下で、セットアップのための案内画像等が表示される。操作部１９は、例えば、キーボードや、マウスや、各種ボタンや、タッチパッドや、タッチパネル等により実現される。各処理に必要な指示がユーザーにより操作部１９を介して入力される。ＨＤＤ１５、ディスクドライブ１６、通信部１７、ディスプレー１８、操作部１９の全て或いは一部は、コンピューター１０に内蔵されていてもよいし、コンピューター１０に外付けされていてもよい。また、コンピューター１０は、デスクトップ型、ラップトップ型、タブレット型等、様々な態様を採り得る。また、デバイス制御装置は、本実施形態で説明するコンピューター１０と同等の働きを実現できる製品全てを含む概念であり、他の機能（例えば、通話機能等）を更に備えるものであってもよい。
【００１９】
図３は、本実施形態にかかるセットアップ処理をフローチャートにより示している。当該フローチャートは、デバイス（プリンター２０）を制御可能な状態にコンピューター１０を設定する設定方法を示しているとも言える。当該フローチャートは制御部１１（ＣＰＵ１２）によって実現される。
ステップＳ１００では、ＣＰＵ１２は、セットアッププログラム１４が記録された記録媒体がコンピューター１０に挿入されたことを検知する。当該検知を契機として、ＣＰＵ１２は、当該記録媒体からセットアッププログラム１４のＲＡＭ１３への読み出しを開始する。これにより、セットアッププログラム１４が起動する（ステップＳ１１０）。
【００２０】
セットアッププログラム１４が起動すると、セットアッププログラム１４は、ＣＰＵ１２に、ステップＳ１２０以降の処理（設定処理）とステップＳ１５０の処理（表示処理）とを並行して実行させる。
表示処理では、表示制御部１４ａが、プリンター２０のセットアップの手順をユーザーに順次案内するための案内画像をディスプレー１８の画面に表示させる。
【００２１】
図４Ａおよび図４Ｂは、表示処理において表示される案内画像の例である。図４Ａおよび図４Ｂはそれぞれ、プリンター２０の電源を入れるための手順の一部を案内する案内画像である。ユーザーは、このような案内画像に従った操作をすることで、プリンター２０への電源投入を間違いなく行うことができる。ユーザーは、操作部１９を操作して案内画像内の「次へ」をクリックすることで、現在表示している案内画像を次の案内画像に更新することができる（後述の図５および図６についても同様）。プリンター２０は、前記案内画面に従ったユーザーの操作により、プリンター２０の電源が投入されると、起動する。そして、プリンター２０は、コンピューター１０側からの無線ＬＡＮ設定処理（後述）に応答して無線ＬＡＮ接続を確立するための特定のモード（接続設定可能状態）へ移行する。
【００２２】
図５Ａおよび図５Ｂは、表示処理において表示される案内画像の例である。図５Ａおよび図５Ｂはそれぞれ、電源が投入された状態のプリンター２０へインクカートリッジをセットするための手順の一部を案内する案内画像である。ユーザーは、このような案内画像に従った操作をすることで、プリンター２０へのインクカートリッジの取り付け（図５Ａ）およびインク充填（図５Ｂ）を間違いなく行うことができる。このような、プリンター２０の電源投入からインクカートリッジの取り付け、さらには、インクカートリッジからプリンター２０へのインク充填が完了するまでに要する時間は、ユーザー毎のばらつきはあるが、およそ１３分〜１５分程度と予想される。
【００２３】
一方、設定処理では、設定制御部１４ｂが、プリンター２０を制御するために必要なソフトウェアのインストールをさせる（ステップＳ１２０）。つまり、各種案内画像の表示処理（ステップＳ１５０）のバックグラウンドで、ソフトフェアのインストールが実行される。プリンター２０を制御するために必要なソフトウェアには、プリンター２０を駆動するためのプリンタードライバーや、各種ユーティリティーソフトウェア等が該当する。プリンタードライバーやユーティリティーソフトウェアは、ＨＤＤ１５に、プリンタードライバー１５ａ、ユーティリティー１５ｂとして保存され、ＯＳの下で起動可能な状態とされる。ステップＳ１２０が実行される点で、セットアッププログラム１４（設定制御部１４ｂ）は、インストーラーであると言える。
【００２４】
プリンタードライバーやユーティリティーソフトウェアは、セットアッププログラム１４が記録された記録媒体に格納されており、当該記録媒体から読み出されてインストールされるとしてもよい。あるいは、プリンタードライバーやユーティリティーソフトウェアは、プリンター２０のメーカーが提供するインターネットＩＮ上のサイトから無線ＬＡＮ（図１参照）を介してコンピューター１０にダウンロードされてインストールされるとしてもよい。ステップＳ１２０におけるソフトウェアのインストールは、およそ２分程度で完了すると予想される。従って、ユーザーが図４，５に例示した各種案内画像を見てプリンター２０に対する操作を実行している期間に、必要なソフトウェアのコンピューター１０へのインストールは完了していると言える。
【００２５】
さらに設定処理では、設定制御部１４ｂが、無線ＬＡＮ（図１参照）にプリンター２０を参加させるために必要な情報をプリンター２０に設定する無線ＬＡＮ設定処理を実行させる（ステップＳ１３０）。当該ステップＳ１３０は、前記ステップＳ１２０の後に続けて自動的に実行される。ただし、設定制御部１４ｂは、少なくとも表示制御部１４ａがプリンター２０の電源を入れることを案内する案内画像（図４Ａ，４Ｂ）をディスプレー１８に表示させた後に、当該ステップＳ１３０を行うとしてもよい。無線ＬＡＮにプリンター２０を参加させるために必要な情報とは、ネットワーク（無線ＬＡＮ）を識別するためのＳＳＩＤ、ルーター３０に設定されている暗号化方式、当該暗号化方式を用いた情報の暗号化および復号化に必要なパスワード、等である。このようなＳＳＩＤ、暗号化方式、パスワードといった情報は、既に無線ＬＡＮに参加しているコンピューター１０が保有している。そこで、設定制御部１４ｂは、通信部１７を制御してアドホックモードでの通信を前記接続設定可能状態となっているプリンター２０との間で一時的に構築し（無線接続を一時的に確立し）、当該構築した通信により、ＳＳＩＤ、暗号化方式、パスワードといった情報をプリンター２０へ通知する。これら情報の通知を受けたプリンター２０は、これら情報を用いて、以降、ルーター３０が構築する無線ＬＡＮへの参加を実現する（無線ＬＡＮ接続を確立する）。
【００２６】
上述したアドホックモードの通信を構築するには、プリンター２０側の電源が入っていることが必須であるが、図４に示した案内画像の指示により、ステップＳ１３０のタイミングでは基本的にプリンター２０側の電源はユーザーによって既に入れられていると言える。また、アドホックモードの通信は、無線ＬＡＮの親機（ルーター３０）を介したインフラストラクチャモードの通信と比較してセキュリティで脆弱な側面がある。そのため、設定制御部１４ｂは、ステップＳ１３０に際しては、距離および時間に関して制限を設け、当該制限の範囲内で、周囲に無線通信が可能なデバイス（前記接続設定可能状態となっているデバイス）が存在するか否か検出し、検出に成功した場合に、当該検出したデバイス（プリンター２０）との間でアドホックモードの通信を一時的に構築する。一方、当該検出に失敗した場合には、アドホックモードの通信の構築を中止する。
【００２７】
上述のようにアドホックモードの通信が構築できない場合は、表示制御部１４ａは、ディスプレー１８に、無線ＬＡＮ設定の失敗を通知するメッセージ（エラーメッセージ）を表示させるとしてもよい。このようなメッセージを見たユーザーは、プリンター２０の電源を（未投入であれば）投入したり、プリンター２０の位置を変更したり、コンピューター１０側にステップＳ１３０の処理を再試行させたりすることができる。なお、ステップＳ１３０の無線ＬＡＮ設定は、およそ３分程度で完了すると予想される。従って、ユーザーが図４，５に例示した各種案内画像を見てプリンター２０に対する操作を実行している期間に、上述したインストール（ステップＳ１２０）に加えて、無線ＬＡＮ設定（ステップＳ１３０）も完了していると言える。
【００２８】
図６Ａおよび図６Ｂは、表示処理において表示される案内画像の例である。図６Ａおよび図６Ｂはそれぞれ、インク充填が完了した状態のプリンター２０へ用紙をセットするための手順の一部を案内する案内画像である。ユーザーは、このような案内画像に従った操作をすることで、プリンター２０への用紙のセットを間違いなく行うことができる。
【００２９】
さらに設定処理では、設定制御部１４ｂが、無線ＬＡＮを介してプリンター２０に試運転の実行を指示する（ステップＳ１４０）。ここで言う試運転とは、プリンター２０によるテスト印刷を意味する。ただし、設定制御部１４ｂは、当該ステップＳ１４０を、無線ＬＡＮを介したプリンター２０側からの準備完了通知の受信を待って行う。つまりプリンター２０は、電源の投入、インクカートリッジの取り付け、無線ＬＡＮ設定、インク充填、用紙のセット、の全てが完了したタイミングで、無線ＬＡＮを介してコンピューター１０へ準備完了通知を送信する。そして、設定制御部１４ｂは、このような準備完了通知を受信した場合に、無線ＬＡＮを介してプリンター２０にテスト印刷の指示を行う。
【００３０】
テスト印刷の指示には、テスト印刷の対象となるテスト画像を表現した画像データが含まれる。テスト印刷の指示を受信したプリンター２０は、当該指示に含まれる画像データに基づいたテスト画像を用紙に印刷する。ユーザーは、このようなテスト印刷の結果を視認して、プリンター２０のセットアップが完了したことを認識する。
【００３１】
なお、図４，５，６は、案内画像としてディスプレー１８に表示されるものの一部あるいは一例を示しているに過ぎない。例えば、表示制御部１４ａは、案内画像（の一部）として、その時点でのコンピューター１０側の状態を通知するためのメッセージ等を適宜表示してもよい。このようなメッセージの例としては、上述したエラーメッセージの他、ステップＳ１２０におけるソフトウェアのインストール中であることを通知するメッセージ、ステップＳ１３０における無線ＬＡＮ設定中であることを通知するメッセージ、テスト印刷の実行中であることを通知するメッセージ、等が考えられる。
【００３２】
このように本実施形態によれば、セットアッププログラム１４が記録された記録媒体がコンピューター１０に挿入されたことを契機として、セットプログラム１４が起動し（ステップＳ１１０）、プリンター２０のセットアップの手順を順次案内する案内画像の画面への表示処理（ステップＳ１５０）と、プリンタードライバー等のソフトウェアのインストールを少なくとも含む設定処理（ステップＳ１２０等）とが並行して行われる。特に、プリンター２０の電源投入、インクカートリッジの取り付け、およびインク充填という、ユーザーが各種案内画像に従って通常１３分〜１５分程度かけて実行する一連の処理の傍らで、並行してプリンタードライバー等のコンピューター１０へのインストールおよびプリンター２０への無線ＬＡＮ設定が実行されて完了する。
【００３３】
そのため、プリンターの電源投入、インクカートリッジの取り付け、インク充填さらには用紙のセットというプリンターに対する一連の操作の後に、プリンタードライバー等のコンピューターへのインストールやプリンターへの無線ＬＡＮ設定を実行していた従来の構成と比較して、プリンター２０のセットアップに要する時間を大幅に短縮することができ、ユーザーの利便性および快適性が向上する。また本実施形態によれば、プリンタードライバー等のインストール後、プリンター２０への無線ＬＡＮ設定やプリンター２０へのテスト印刷の指示といったコンピューター１０による処理は、連続して自動的に実行されるため、ユーザーの煩雑さが大幅に解消される。
【００３４】
なお、本実施形態にかかるデバイスには、プリンター以外の、例えば、複合機や、スキャナーや、プロジェクター等といった各種電子機器も該当する。つまり、プリンターに限らず、デバイス制御装置との関係でセットアップの対象となるデバイスに関して、セットアップに要する時間を短縮するために本発明を適用可能である。
【符号の説明】
【００３５】
１０…コンピューター、１１…制御部、１２…ＣＰＵ、１３…ＲＡＭ、１４…セットアッププログラム、１４ａ…表示制御部、１４ｂ…設定制御部、１５…ＨＤＤ、１５ａ…プリンタードライバー、１５ｂ…ユーティリティー、１６…ディスクドライブ、１７…通信部、１８…ディスプレー、１９…操作部、２０…プリンター、３０…ルーター
【図１】
2015060383.tif 000003
【図２】
2015060383.tif 000004
【図３】
2015060383.tif 000005
【図４】
2015060383.tif 000006
【図５】
2015060383.tif 000007
【図６】
2015060383.tif 000008